(57)【要約】  データを一次記憶するディスク装置（１１０）と、データを二次記憶するライブラリ装置（１２０）と、ディスク装置とライブラリ装置間のデータ移行を制御する制御装置（１００）とを有する階層記憶システム（１０）。ライブラリ装置は、第１のタグ（２２０）を有してデータが記憶される記憶媒体を格納するカートリッジ（２００）を収納可能であって第２のタグ（２８０）を有するマガジン（２５０）が投入及び排出される投入排出部（１３０）と、第１のタグ（２２０）に記憶される第１情報と第２のタグに記憶される第２情報とを無線通信により取得する情報取得部（１２８）と、取得された第１情報と第２情報とを制御装置に送信する第１の送信部（１２７）とを有し、制御装置は、ライブラリ装置から送信された第１情報と第２情報とを記憶する記憶部（１０６）と、ディスク装置とライブラリ装置間のデータ移行状態と記憶部に記憶される第１情報と第２情報とに基づいて、前記データを管理する管理部（１０２）と、を有する。
2009078082.tif 000002
【特許請求の範囲】
【請求項１】
データを一次記憶するディスク装置と、
前記データを二次記憶するライブラリ装置と、
前記ディスク装置と前記ライブラリ装置間のデータ移行を制御する制御装置とを有する階層記憶システムであって、
前記ライブラリ装置は、
第１のタグを有して前記データが記憶される記憶媒体を格納するカートリッジを収納可能であって第２のタグを有するマガジンが投入及び排出される投入排出部と、
前記第１のタグが保持する第１情報と前記第２のタグが保持する第２情報とを無線通信により取得する情報取得部と、
取得された前記第１情報と前記第２情報とを前記制御装置に送信する第１の送信部とを有し、
前記制御装置は、
前記ライブラリ装置から送信された前記第１情報と前記第２情報とを記憶する第１の記憶部と、
前記ディスク装置と前記ライブラリ装置間のデータ移行状態と前記第１の記憶部に記憶される前記第１情報と前記第２情報とに基づいて、前記データを管理する管理部と、
を有することを特徴とする階層記憶システム。
【請求項２】
前記マガジンは、
前記第１情報を読み取る読み取り部と、
前記第1情報と前記第２情報とを前記ライブラリ装置に送信する第２の送信部と、
を有することを特徴とする請求項１に記載の階層記憶システム。
【請求項３】
前記第２のタグはアクティブタグであり、
前記マガジンは、前記第１情報を前記第２のタグに書き込む書き込み部を更に有し、
前記第２の送信部は前記第２のタグの一部である請求項２に記載の階層記憶システム。
【請求項４】
前記第２のタグは前記マガジンの状態情報を記憶することを特徴とする請求項３に記載の階層記憶システム。
【請求項５】
前記第２の送信部は、定期的に、前記ライブラリ装置に前記第１情報と前記第２情報とを送信することを特徴とする請求項２に記載の階層記憶システム。
【請求項６】
前記第２の送信部は、前回送信した情報と変化が生じた場合に、前記ライブラリ装置に前記第１情報と前記第２情報とを送信することを特徴とする請求項２に記載の階層記憶システム。
【請求項７】
前記マガジンは、前記第１情報と前記第２情報とを記憶する第２の記憶部を更に有し、
前記第２の送信部は、前記第２の記憶部に記憶された前記第１情報と前記第２情報とを前記ライブラリ装置に送信することを特徴とする請求項２に記載の階層記憶システム。
【請求項８】
前記第２の記憶部は、前記マガジンの状態情報を記憶することを特徴とする請求項７に記載の階層記憶システム。
【請求項９】
データを一次記憶するディスク装置と、
前記データを二次記憶するライブラリ装置と、
前記ディスク装置と前記ライブラリ装置間のデータ移行を制御する制御装置とからなる階層記憶システムの制御方法であって、
前記データが記憶される記憶媒体を格納するカートリッジに備えられた第１のタグが保持する第１情報と、前記カートリッジを収納可能なマガジンに備えられた第２のタグが保持する第２情報とを前記ライブラリ装置の情報取得部は前記マガジンから無線通信により取得する取得ステップと、
前記取得ステップにおいて取得した前記第１情報と前記第２情報とを前記ライブラリ装置が前記制御装置に送信する送信ステップと、
前記制御装置が前記ライブラリ装置から送信された前記第１情報と前記第２情報とを記憶部に記憶する記憶ステップと、
前記制御装置が前記ディスク装置と前記ライブラリ装置間のデータ移行状態と前記記憶部に記憶される前記第１情報と前記第２情報とに基づいてデータを管理する管理ステップと、
を有することを特徴とする階層記憶システムの制御方法。
【請求項１０】
前記取得ステップは、前記ライブラリ装置の情報取得部と前記第２のタグ又は前記マガジンに設けられた無線通信部とが無線通信を行うことによってなされることを特徴とする請求項９に記載の階層記憶システムの制御方法。
【請求項１１】
データを記憶する記憶媒体を管理するライブラリ装置であって、
第１のタグを有して前記データが記憶される記憶媒体を格納するカートリッジを収納可能であって第２のタグを有するマガジンが投入及び排出される投入排出部と、
前記第１のタグに記憶される第１情報と前記第２のタグに記憶される第２情報とを無線通信により取得する情報取得部と、
前記記憶媒体へのデータ記憶状態と前記第１情報と前記第２情報とに基づいてデータを管理する管理部と、
を有することを特徴とするライブラリ装置。
【請求項１２】
前記情報取得部は、前記第２のタグ又は前記マガジンに設けられた無線通信部と無線通信を行うことを特徴とする請求項１１に記載のライブラリ装置。
【請求項１３】
データが記憶される記憶媒体を格納するカートリッジを収納可能なマガジンであって、
前記カートリッジに備えられた第１のタグが保持する第１情報を読み取る読み取り部と、
第２の情報を保持する第２のタグと、
前記第１情報を送信する送信部と、
を有することを特徴とするマガジン。
【請求項１４】
前記カートリッジを収納するスロットを有する筺体を更に有し、
前記読み取り部は前記スロットを形成する面に取り付けられていることを特徴とする請求項１３に記載のマガジン。
【請求項１５】
前記第１の情報を前記第２のタグに書き込む書き込み部を更に有し、
前記第２のタグはアクティブタグであり、前記送信部は前記第２のタグの一部であり、前記第１の情報と前記第２の情報を送信することを特徴とする請求項１３に記載のマガジン。
【請求項１６】
前記第２の情報を読み取る読み取り部と、
前記第１情報と前記第２情報とを記憶する記憶部と、
を更に有し、
前記送信部は、前記記憶部に記憶された前記第１情報と前記第２情報を送信することを特徴とする請求項１３に記載のマガジン。
【請求項１７】
前記第１又は第２のタグはバーコードラベルであることを特徴とする請求項１３に記載のマガジン。
【請求項１８】
データを一次記憶するディスク装置と、
第１情報を保持する第１のタグを有して前記データが記憶されるカートリッジを収納可能であって第２情報を保持する第２のタグを有するマガジンが投入及び排出可能であり、前記データを二次記憶するライブラリ装置と、
前記ディスク装置と前記ライブラリ装置間のデータ移行を制御する制御装置と、を有する階層記憶システムであって、
前記マガジンは第１の無線通信部を有し、
前記階層記憶システムは、前記第１の無線通信部と通信可能な第２の無線通信部を更に有し、
前記制御装置は、前記第２の無線通信部が前記第１の無線通信部から受信した前記第１情報及び第２情報に基づいて前記カートリッジの位置を検出することを特徴とする階層記憶システム。
【請求項１９】
前記第１のタグはパッシブタグであり、
前記ライブラリ装置は、
前記カートリッジが収納されると共に前記第１のタグを読み取る第１のタグリーダを有するセルと、
前記カートリッジに前記データを記録又は再生する記録再生部と、
前記マガジンが投入及び排出されると共に前記第２のタグを読み取る第２のタグリーダを有する投入排出部と、
を有することを特徴とする請求項１８に記載の階層記憶システム。
【請求項２０】
各々が複数のカートリッジを収納可能な複数のマガジンが設けられ、
前記階層記憶システムは、前記ライブラリ装置が配置された管理室と、前記マガジンを保管する保管室とを有し、
前記第２の無線通信部は、前記第１の無線通信部から前記保管室における前記マガジンの配置情報を取得し、
前記配置情報は、各マガジンの位置情報と、各マガジンの識別子と、各マガジンに収納される前記カートリッジの識別子を含むことを特徴とする請求項１８に記載の階層記憶システム。
【請求項２１】
前記制御装置は、前記保管室の見取図を格納する記憶部を更に有し、
前記制御装置は、前記マガジンの配置情報を前記見取図と重ねることによって前記保管室における前記カートリッジの位置を識別することを特徴とする請求項２０に記載の階層記憶システム。
【請求項２２】
前記マガジンは表示部を更に有し、
前記制御装置は、前記第２の無線通信部を介して前記第１の無線通信部に、前記マガジンの前記表示部に表示をさせる表示コマンドを送信することを特徴とする請求項２０に記載の階層記憶システム。
【請求項２３】
前記マガジンはバッテリを有し、
前記第１の無線通信部は前記マガジンのバッテリの残量不足情報を前記第２の無線通信部に送信し、
前記制御装置は、前記保管室の見取図を格納する記憶部を更に有し、
前記制御装置は、前記マガジンの配置情報を前記見取図と重ねることによって前記保管室における前記残量不足情報を有する前記バッテリを有するマガジンの位置を識別することを特徴とする請求項２０に記載の階層記憶システム。
【請求項２４】
前記マガジンは表示部を更に有し、
前記制御装置は、前記第２の無線通信部を介して前記第１の無線通信部に、前記マガジンの前記表示部に表示をさせる表示コマンドを送信することを特徴とする請求項２３に記載の階層記憶システム。
【発明の詳細な説明】
【技術分野】
【０００１】
本発明は、階層記憶システム、ライブラリ装置及びマガジン、並びに、階層記憶システムの制御方法に関する。本発明は、例えば、アーカイブストレージシステムにおいてテープカートリッジに格納されるデータの管理に好適である。
【技術背景】
【０００２】
アーカイブストレージシステムは、データを上書きするバックアップシステムと異なり、全データを長期保管し、要求されたデータを閲覧可能にするシステムである。アーカイブストレージシステムは、管理端末としてのサーバー、データを格納するディスク装置、テープライブラリから構成される。テープライブラリは複数のテープカートリッジを収納する。閲覧頻度が高いデータはディスク装置に格納され、閲覧頻度が少ないデータはディスク装置からテープライブラリ内のテープカートリッジに移動される。このようにデータの記憶が、一次的にはディスク装置であり、二次的にはテープカートリッジである点でアーカイブストレージシステムは階層的な記憶システムである。従来のテープカートリッジはその識別子を表すバーコードが付されており、テープカートリッジの識別子と格納されたデータとは１対１で管理されていた。
【０００３】
従来のアーカイブストレージシステムでは、テープカートリッジを外部に保管する必要がなかった。しかし、サーベンス・オクスリー（ＳＯＸ）法などの要請により、全データを長期間保存することが必要になった。また、管理すべきデータの種類も文書だけでなく画像、動画など多種に亘り、情報量も増加してきた。このため、テープライブラリのテープカートリッジは容量が一杯になるとテープライブラリの外部の保管室に保管し、空のテープカートリッジをテープライブラリに充填する必要が生じてきた。
【０００４】
従来技術としては特許文献１乃至８がある。
【特許文献１】特開２００２−１５４６１８号公報
【特許文献２】特開２００５−３５２６７１号公報
【特許文献３】特開２００６−１９０２４１号公報
【特許文献４】特開２００６−２３８４７号公報
【特許文献５】特開２００６−０４０４５０号公報
【特許文献６】特開２００６−２７７８８２号公報
【特許文献７】特開２００６−１６０５１６号公報
【特許文献８】特開２００７−１７４７３９号公報
【発明の開示】
【０００５】
テープカートリッジが一旦テープライブラリの外部の保管室に搬入されると、保管室のどこに収納されているのかをテープライブラリが配置される管理室から突き止めることができなくなる。この点、テープカートリッジを保管室に搬出する前に、当該テープカートリッジのバーコード情報を管理すれば、保管室に搬出されるテープカートリッジ及びそれが格納しているデータを特定することができるであろう。しかし、かかるテープカートリッジが保管室のどこに置かれているかまでは特定することができない。膨大な数のテープカートリッジが保管室に収納された場合、管理室のオペレータは要求されたデータを格納するテープカートリッジを突き止めることが困難になる。この結果、当該テープカートリッジをテープライブラリに戻し、要求されたデータをディスク装置に再格納（リストア）することが困難になる。
【０００６】
そこで、本発明は、データ管理に優れた階層記憶システム、ライブラリ装置及びマガジン、並びに、階層記憶システムの制御方法を提供することを例示的な目的とする。
【０００７】
本発明の一側面としての階層記憶システムは、データを一次記憶するディスク装置と、前記データを二次記憶するライブラリ装置と、前記ディスク装置と前記ライブラリ装置間のデータ移行を制御する制御装置とを有する階層記憶システムであって、前記ライブラリ装置は、第１のタグを有して前記データが記憶される記憶媒体を格納するカートリッジを収納可能であって第２のタグを有するマガジンが投入及び排出される投入排出部と、前記第１のタグが保持する第１情報と前記第２のタグが保持する第２情報とを無線通信により取得する情報取得部と、取得された前記第１情報と前記第２情報とを前記制御装置に送信する第１の送信部とを有し、前記制御装置は、前記ライブラリ装置から送信された前記第１情報と前記第２情報とを記憶する第１の記憶部と、前記ディスク装置と前記ライブラリ装置間のデータ移行状態と前記第１の記憶部に記憶される前記第１情報と前記第２情報とに基づいて、前記データを管理する管理部と、を有することを特徴とする。かかる階層記憶システムはライブラリ装置が無線通信によって第１情報と第２情報を取得するため、マガジンやカートリッジがライブラリ装置の外部に搬出されてもそれらの位置を追跡することができる。
【０００８】
前記マガジンは、前記第１情報を読み取る読み取り部と、前記第1情報と前記第２情報とを前記ライブラリ装置に送信する第２の送信部と、を有してもよい。これにより、第２の送信部が第１の情報と第２の情報の両方を送信することができるので、これらの情報を別個独立に送信するよりも送信部の数が少なくなる。前記第２のタグはアクティブタグであり、前記マガジンは、前記第１情報を前記第２のタグに書き込む書き込み部を更に有し、前記第２の送信部は前記第２のタグの一部であってもよい。第２のタグを書き込み可能にすることによって第２のタグが第１の情報と第２の情報の両方を送信することができるので、これらの情報を別個独立に送信するよりも送信部の数が少なくなる。前記第２のタグは前記マガジンの状態情報（位置情報やバッテリ情報）を記憶してもよい。これにより、制御装置は、マガジンの状態も管理することができ、要求されたデータを格納するカートリッジやマガジンの追跡を確実にする。
【０００９】
前記第２の送信部は、定期的に、又は、前回送信した情報と変化が生じた場合に、前記ライブラリ装置に前記第１情報と前記第２情報とを送信してもよい。定期的に送信することによって制御装置は定期的に第１及び第２情報を管理することができる。また、前回送信した情報と変化が生じた場合に送信をすることによって制御装置は異常を直ちに発見することができる。
【００１０】
前記マガジンは、前記第１情報と前記第２情報とを記憶する第２の記憶部を更に有し、前記第２の送信部は、前記第２の記憶部に記憶された前記第１情報と前記第２情報とを前記ライブラリ装置に送信してもよい。この場合、第２のタグは第１情報を格納する必要がなくなる。また、第２のタグは長距離の無線通信をする必要もなくなる。前記第２の記憶部は、前記マガジンの状態情報を記憶してもよい。これにより、制御装置は、マガジンの状態も管理することができ、要求されたデータを格納するカートリッジやマガジンの追跡を確実にする。
【００１１】
本発明の別の側面としての階層記憶システムの制御方法データを一次記憶するディスク装置と、前記データを二次記憶するライブラリ装置と、前記ディスク装置と前記ライブラリ装置間のデータ移行を制御する制御装置とからなる階層記憶システムの制御方法であって、前記データが記憶される記憶媒体を格納するカートリッジに備えられた第１のタグが保持する第１情報と、前記カートリッジを収納可能なマガジンに備えられた第２のタグが保持する第２情報とを前記ライブラリ装置の情報取得部は前記マガジンから無線通信により取得する取得ステップと、前記取得ステップにおいて取得した前記第１情報と前記第２情報とを前記ライブラリ装置が前記制御装置に送信する送信ステップと、前記制御装置が前記ライブラリ装置から送信された前記第１情報と前記第２情報とを記憶部に記憶する記憶ステップと、前記制御装置が前記ディスク装置と前記ライブラリ装置間のデータ移行状態と前記記憶部に記憶される前記第１情報と前記第２情報とに基づいてデータを管理する管理ステップと、を有することを特徴とする。かかる階層記憶システムの制御方法はライブラリ装置の情報取得部が無線通信によって第１情報と第２情報を取得するため、マガジンやカートリッジがライブラリ装置の外部に搬出されてもそれらの位置を追跡することができる。
【００１２】
前記取得ステップは、前記ライブラリ装置の情報取得部と前記第２のタグ（例えば、アクティブタグ）又は前記マガジンに設けられた無線通信部とが無線通信を行うことによってなされてもよい。
【００１３】
本発明の別の側面としてのライブラリ装置は、データを記憶する記憶媒体を管理するライブラリ装置であって、第１のタグを有して前記データが記憶される記憶媒体を格納するカートリッジを収納可能であって第２のタグを有するマガジンが投入及び排出される投入排出部と、前記第１のタグに記憶される第１情報と前記第２のタグに記憶される第２情報とを無線通信により取得する情報取得部と、前記記憶媒体へのデータ記憶状態と前記第１情報と前記第２情報とに基づいてデータを管理する管理部と、を有することを特徴とする。かかるライブラリ装置は、情報取得部が無線通信によって第１情報と第２情報を取得するため、マガジンやカートリッジがライブラリ装置の外部に搬出されても追跡することができる。前記情報取得部は、前記第２のタグ（例えば、アクティブタグ）又は前記マガジンに設けられた無線通信部と無線通信を行ってもよい。
【００１４】
本発明の別の側面としてのマガジンは、データが記憶される記憶媒体を格納するカートリッジを収納可能なマガジンであって、前記カートリッジに備えられた第１のタグが保持する第１情報を読み取る読み取り部と、第２の情報を保持する第２のタグと、前記第１情報を送信する送信部と、を有することを特徴とする。かかるマガジンは送信部を有するので無線通信によりその所在が追跡可能である。例えば、前記カートリッジを収納するスロットを有する筺体を更に有し、前記読み取り部は前記スロットを形成する面に取り付けられていてもよい。これにより、各カートリッジをスロットに挿入するだけで無線通信が可能となる。
【００１５】
前記第１の情報を前記第２のタグに書き込む書き込み部を更に有し、前記第２のタグはアクティブタグであり、前記送信部は前記第２のタグの一部であり、前記第１の情報と前記第２の情報を送信してもよい。第２のタグを書き込み可能にすることによって第２のタグが第１の情報と第２の情報の両方を送信することができるので、別個に送信するよりも送信部の数が少なくなる。前記第２の情報を読み取る読み取り部と、前記第１情報と前記第２情報とを記憶する記憶部と、を更に有し、前記送信部は、前記記憶部に記憶された前記第１情報と前記第２情報を送信してもよい。この場合、第２のタグは第１情報を格納する必要がなくなる。前記第１又は第２のタグはバーコードラベルであってもよい。これにより、無線ＩＣタグを使用するよりもコストダウンを図ることができる。
【００１６】
本発明の別の側面としての階層記憶システムは、データを一次記憶するディスク装置と、第１情報を保持する第１のタグを有して前記データが記憶されるカートリッジを収納可能であって第２情報を保持する第２のタグを有するマガジンが投入及び排出可能であり、前記データを二次記憶するライブラリ装置と、前記ディスク装置と前記ライブラリ装置間のデータ移行を制御する制御装置と、を有する階層記憶システムであって、前記マガジンは第１の無線通信部を有し、前記階層記憶システムは、前記第１の無線通信部と通信可能な第２の無線通信部を更に有し、前記制御装置は、前記第２の無線通信部が前記第１の無線通信部から受信した前記第１情報及び第２情報に基づいて前記カートリッジの位置を検出することを特徴とする。かかる階層記憶システムによれば、制御装置は、要求のあるデータを格納したカートリッジの所在を、無線通信を利用して検出することができる。
【００１７】
前記第１のタグはパッシブタグであり、前記ライブラリ装置は、前記カートリッジが収納されると共に前記第１のタグを読み取る第１のタグリーダを有するセルと、前記カートリッジに前記データを記録又は再生する記録再生部と、前記マガジンが投入及び排出されると共に前記第２のタグを読み取る第２のタグリーダを有する投入排出部と、を有してもよい。これにより、セルにカートリッジが挿入されるとカートリッジの第１のタグとセルの第１のタグリーダとの間で無線通信が行われ、投入排出部にマガジンが投入されるとマガジンの第２のタグと投入排出部の第２のタグリーダとの間で無線通信が行われる。
【００１８】
各々が複数のカートリッジを収納可能な複数のマガジンが設けられ、前記階層記憶システムは、前記ライブラリ装置が配置された管理室と、前記マガジンを保管する保管室とを有し、前記第２の無線通信部は、前記第１の無線通信部から前記保管室における前記マガジンの配置情報を取得し、前記配置情報は、各マガジンの位置情報と、各マガジンの識別子と、各マガジンに収納される前記カートリッジの識別子を含んでもよい。これにより、制御装置は、保管室において、特定のデータを格納するカートリッジの所在を突き止めることができる。前記制御装置は、前記保管室の見取図を格納する記憶部を更に有し、前記制御装置は、前記マガジンの配置情報を前記見取図と重ねることによって前記保管室における前記カートリッジの位置を識別してもよい。これにより、制御装置は、保管室において、特定のデータを格納するカートリッジの所在をより簡単かつ確実に突き止めることができる。前記マガジンは表示部を更に有し、前記制御装置は、前記第２の無線通信部を介して前記第１の無線通信部に、前記マガジンの前記表示部に表示をさせる表示コマンドを送信してもよい。これにより、保管室において作業者は目標カートリッジを格納するマガジンの所在をより簡単かつ確実に突き止めることができる。
【００１９】
前記マガジンはバッテリを有し、前記第１の無線通信部は前記マガジンのバッテリの残量不足情報を前記第２の無線通信部に送信し、前記制御装置は、前記保管室の見取図を格納する記憶部を更に有し、前記制御装置は、前記マガジンの配置情報を前記見取図と重ねることによって前記保管室における前記残量不足情報を有する前記バッテリを有するマガジンの位置を識別してもよい。これにより、制御装置は、保管室において、バッテリ残量が不足しているマガジンの所在をより簡単かつ確実に突き止めることができる。前記マガジンは表示部を更に有し、前記制御装置は、前記第２の無線通信部を介して前記第１の無線通信部に、前記マガジンの前記表示部に表示をさせる表示コマンドを送信してもよい。これにより、保管室において作業者は目標マガジンの所在をより簡単かつ確実に突き止めることができる。
【００２０】
本発明の更なる目的又はその他の特徴は、以下、添付図面を参照して説明される好ましい実施例によって明らかにされるであろう。
【図面の簡単な説明】
【００２１】
【図１】実施例１のアーカイブストレージシステム（階層記憶システム）のシステム構成図である。
【図２】図1に示すアーカイブストレージシステムの管理装置（制御装置）に格納されるデータ管理表の一例である。
【図３】図1に示すアーカイブストレージシステムのテープライブラリ（ライブラリ装置）の斜視図である。
【図４】図３に示すテープライブラリのフロントカバーを開いた状態を示す斜視図である。
【図５】図４に示すテープライブラリのインナーカバーを開いた状態を示す斜視図である。
【図６】図４に示すテープライブラリのインナーカバーを開き、マガジンを装填した状態を示す正面図である。
【図７】図５に示すテープライブラリの部分拡大断面図である。
【図８】図７の部分拡大斜視図である。
【図９】図１に示すアーカイブストレージシステムのテープカートリッジの斜視図である。
【図１０】図1に示すアーカイブストレージシステムのマガジンの斜視図である。
【図１１】図１０に示すマガジンを異なる角度から見た斜視図である。
【図１２】図１０に示すマガジンの制御系を示すブロック図である。
【図１３】図１に示すアーカイブストレージシステムの動作を説明するためのフローチャートである。
【図１４】図１４（ａ）は、図１３に示すステップ１２００の詳細を説明するためのフローチャートである。図１４（ｂ）は、図１４（ａ）に示すステップ１２５０の詳細を説明するためのフローチャートである。図１４（ｃ）は、図１４（ａ）に示すステップ１２７０の詳細を説明するためのフローチャートである。図１４（ｄ）は、図１４（ｃ）に示すステップ１２７７後の制御系の動作を説明するためのフローチャートである。
【図１５】図１に示すアーカイブストレージシステムの別の動作（メンテナンス処理）を説明するためのフローチャートである。
【図１６】図１５に示すステップ１７５０において、保管室にあるバッテリの残量不足のマガジンを特定する方法を説明するためのフローチャートである。
【図１７】図１２に示す制御系に対応する実施例２の制御系のブロック図である。
【図１８】図１２に示す制御系に対応する実施例３の制御系のブロック図である。
【図１９】図１２に示す制御系に対応する実施例４の制御系のブロック図である。
【図２０】図１２に示す制御系に対応する実施例５の制御系のブロック図である。
【図２１】図２０に示す実施例のテープカートリッジの斜視図である。
【発明を実施するための最良の形態】
【００２２】
以下、添付図面を参照して、本発明の階層記憶システムの一実施例としてのアーカイブストレージシステムについて説明する。
【実施例１】
【００２３】
図１は、実施例１のアーカイブストレージシステム（階層記憶システム）１０のシステム構成図である。アーカイブストレージシステム１０は、管理室１１に配置され、ネットワーク１２と各種端末１３を含み、保管室１５に保管されるマガジンがシステム１０の一翼を担っている。【００２４】
管理室１１、各種端末１３が置かれている部屋、保管室１５は同一フロアでもよいし異なるフロアでもよい。但し、保管室１５は管理室１１から無線通信が可能な距離（数ｍ乃至約１０ｍ）だけ離れている。ネットワーク１２は、ローカルエリアネットワーク（ＬＡＮ）、ワイドエリアネットワーク（ＷＡＮ）、ファイバーチャネル（ＦＣ）などその種類は限定されない。ネットワーク１２は各種端末１３とインターネット１４にもケーブル１２ｂを介して接続されている。各種端末１３は、コンピュータ、サーバー、ストレージを含む。【００２５】
管理室１１には、管理装置（制御装置）１００、一又は複数のディスク装置１１０及びテープライブラリ（ライブラリ装置）１２０が配置されてケーブル１２ａでハブやスイッチ等を介して接続されている。なお、ハブやスイッチ等を介さずに直接接続することも可能である。テープライブラリ１２０は、複数のテープカートリッジ２００と例えば本実施例においては一対のマガジン２５０を収納している。【００２６】
アーカイブストレージシステム１０において、全てのデータは、まず、ディスク装置１１０に格納されて閲覧頻度が高いデータはディスク装置１１０における格納が維持される。一方、閲覧頻度が少ないデータはディスク装置１１０からテープライブラリ１２０内のテープカートリッジ２００に移動され、ディスク装置１１０からは削除される。更に、テープライブラリ１２０内において殆ど閲覧要求のないデータを格納するテープカートリッジ２００はマガジン２５０に移動される。マガジン２５０は、複数のテープカートリッジ２００を収納することができ、ある個数以上（又は一杯）にテープカートリッジ２００が収納された場合に、テープライブラリ１２０の外部の保管室１５に排出される。保管室１５は、本実施例では、管理室１１と同一フロア内に配置される。保管室１５は、複数のマガジン２５０を保管する。【００２７】
管理装置１００は、サーバーやパーソナルコンピュータ（ＰＣ）からなり、アーカイブストレージシステム１０の各部を管理する。管理装置１００は、ＣＰＵやＭＰＵなどからなる制御部１０２と、管理ソフトウェア（ＳＯＦＴ）１０３及びそれに関連する情報を格納する記憶部１０４と、データ管理表１０５を格納する記憶部１０６と、入力部１０７と、表示部１０８と、出力部１０９と、を有する。管理装置１００は、ディスク装置１１０とテープライブラリ１２０との間のデータの移行を制御する。【００２８】
制御部１０２は、ＳＯＦＴ１０３に従ってアーカイブストレージシステム１０の各部を制御する。制御部１０２は、ディスク装置１１０とテープライブラリ１２０との間のデータの移行状態と記憶部１０６に記憶される情報に基づいてデータを管理する管理部として機能する。【００２９】
ＳＯＦＴ１０３は、以下のものを含む各種の処理を行う。（１）各種端末１３からディスク装置１１０へのデータの格納（一次記憶）と格納したデータのデータ管理表１０５の生成を行う。（２）閲覧要求を処理する。（３）閲覧頻度を判定する。（４）ディスク装置１１０からテープカートリッジ２００へのデータの格納（二次記憶）とデータ管理表１０５の生成を行う。（５）テープライブラリ内でテープカートリッジ２００をマガジン２５０に移動する。（６）外部に搬出する準備ができたマガジン２５０が存在することをオペレータに知らせる。（７）保管室１５においてテープカートリッジ２００の位置を特定してオペレータに知らせる。記憶部１０４は、ＲＯＭ、ＲＡＭ、各種のストレージを含む。【００３０】
図２は、データ管理表１０５の一例である。データ管理表１０５は、端末１３からの情報をディスク装置１１０に格納する際に制御部１０２によって生成される。データ管理表１０５は、各種のフィールドを含む。これらのフィールドは、データＩＤ（識別）１０５ａ、プロパティ（ＰＲＯＰ）１０５ｂ、ディスク装置（ＤＤ）ＩＤ１０５ｃ、テープカートリッジ（ＣＴＲ）ＩＤ１０５ｄ、マガジン（ＭＧ）ＩＤ１０５ｅ、場所１０５ｆ、ステイタス１０５ｇ、使用頻度１０５ｈを含むが、これに限定されるものではない。【００３１】
データＩＤフィールド１０５ａは、制御部１０２が、格納されるデータに付与するユニークな識別子である。図２においては、０００００１から通し番号が付されているが、ユニークな識別子の生成方法は限定されない。【００３２】
プロパティフィールド１０５ｂは、データの種類（文書、画像、動画、その他のフォーマット又はそれを表す拡張子）、データに使用されるプログラム、データのサイズ、各種の日時（作成日時、更新日時、アクセスなど）、端末１３及びそれが配置された部屋、部署、ユーザの情報を含む。なお、通常、プロパティフィールド１０５ｂは場所フィールド１０５ｆもその一部として含むが、ここでは説明の便宜上、別フィールドと分けている。【００３３】
ディスク装置ＩＤフィールド１０５ｃは、データを格納するディスク装置１１０を識別するユニークな識別子である。本実施例では、図１に示すように、複数のディスク装置１１０ａ乃至１１０ｃがディスク装置１１０として設けられているので、これを識別する。データ０００００１及び００００１０はディスク装置１１０ａに格納され、データ０００００２及び０００００３はディスク装置１１０ｂに格納されている。図２において、「ＮＡ」は対応するディスク装置１１０が存在しないことを意味する。例えば、データ０００００４はいずれのディスク装置１１０にも格納されていないことを意味する。【００３４】
テープカートリッジＩＤフィールド１０５ｄは、データを格納するテープカートリッジ２００を識別するユニークな識別子である。ユニークな識別子は、本実施例では、予め製造メーカによって作成されたものである。この結果、テープカートリッジとテープカートリッジＩＤとは１対１で管理可能となる。本実施例では、図１に示すように、複数のテープカートリッジ２００が設けられているので、これらを識別する。データ０００００３乃至００００１０はテープカートリッジ１１１００１乃至１１１００８にそれぞれ格納されている。図２において、「ＮＡ」は対応するテープカートリッジ２００が存在しないことを意味する。例えば、データ０００００１はいずれのテープカートリッジ２００にも格納されていないことを意味する。【００３５】
マガジンＩＤフィールド１０５ｅは、テープカートリッジ２００を格納するマガジン２５０を識別するユニークな識別子である。ユニークな識別子は、本実施例では、予め製造メーカによって作成されたものである。この結果、マガジン２５０とマガジンＩＤとは１対１で管理可能となる。本実施例では、図１に示すように、複数のマガジン２５０が設けられているので、これを識別する。カートリッジ１１１００３乃至１１１００６はマガジン５０、６０、６２、６４にそれぞれ格納されている。図２において、「ＮＡ」は対応するマガジン２５０が存在しないことを意味する。例えば、テープカートリッジ１１１００２は、テープライブラリ１２０の後述するセル１４０に収納されており、いずれのマガジン２５０にも格納されていないことを意味する。【００３６】
テープカートリッジ２００の識別子（第１情報）やマガジン２５０の識別子（第２情報）はテープライブラリ１２０から送信されたものであり、記憶部１０６はこれらをデータ管理表１０５に記憶する。【００３７】
場所フィールド１０５ｆは、データが保管されている現在の場所（部屋）を示す。図２においては、データ０００００１はディスク装置１１０ａにあり、データ０００００２及び０００００３はディスク装置１１０ｂにある。データ０００００４、０００００５、０００００９、００００１０はテープライブラリ（ＴＬ）１２０にあり、データ０００００６乃至０００００８は保管室（ＷＨ）１５にある。図２において、「ＮＡ」は対応する部屋が存在しないことを意味する。例えば、データ００００１１は管理室１１と保管室１５との間を搬送中であるためにいずれの部屋にもないことを意味する。【００３８】
ステイタスフィールド１０５ｇは、データ又はテープカートリッジ２００若しくはマガジン２５０の状態を示す。図２において、空欄は正常な状態であることを意味する。通常の状態ではない場合にその理由が記載される。【００３９】
例えば、データはディスク装置１１０かテープカートリッジ２００のどちらかに格納されて両方には格納されない。一方、データ０００００３には、ディスク装置ＩＤとテープカートリッジＩＤとが付されている。これは、ステイタスフィールド１０５ｇに記載されているように、データ０００００３がディスク装置１１０ｂからテープカートリッジ１１１００１に移動中であるからである。移動が終了した後は、制御部１０２は、データ０００００３からディスク装置ＩＤを削除し、場所フィールド１０５ｆをＴＬ１２０に変更する。その後、制御部１０２は対応するステイタスフィールド１０５ｇを空欄にする。【００４０】
同様な理由で、データ００００１０には、ディスク装置ＩＤとテープカートリッジＩＤとが付されている。これは、ステイタスフィールド１０５ｇに記載されているように、データ００００１０がテープカートリッジ１１１００８からディスク装置１１０ｂに移動中であるからである。移動が終了した後は、制御部１０２は、データ００００１０からテープカートリッジＩＤを削除し、場所フィールド１０５ｆをＤＤ１１０ａに変更する。その後、制御部１０２は対応するステイタスフィールド１０５ｇを空欄にする。【００４１】
また、マガジン２５０に移動されたテープカートリッジ２００は保管室１５にそのマガジン２５０ごと移動され、テープライブラリ１２０からは除去される。一方、データ０００００５はテープカートリッジ２００にマガジンＩＤが付されているのでマガジン２５０に移動しているが、場所フィールド１０５ｆがテープライブラリ１２０にある。これは、ステイタスフィールド１０５ｇに記載されているように、マガジン５０がテープライブラリ１２０から保管室１５への搬出待機状態にあるからである。搬出待機は、搬出者の準備が整っていない他、マガジン２５０に少量のテープカートリッジ２００しか格納されていない場合である。搬送が終了した後は、制御部１０２は、データ０００００５の場所フィールド１０５ｆをＷＨ１５に変更し、対応するステイタスフィールド１０５ｇを空欄にする。【００４２】
また、ステイタスフィールド１０５ｇは、データ０００００７を格納するテープカートリッジ１１１００５を収納するマガジン６２のバッテリ残量が少ないことをオペレータに表示している。これにより、オペレータは、マガジン６２のバッテリを交換する。その後、制御部１０２は対応するステイタスフィールド１０５ｇを空欄にする。【００４３】
また、ステイタスフィールド１０５ｇは、データ０００００８を格納するテープカートリッジ１１１００６を収納するマガジン６４が搬送待ちである旨をオペレータに表示している。これにより、オペレータは、マガジン６４を保管室１５からテープライブラリ１２０に搬送する。その後、制御部１０２は、場所フィールド１０５ｆをＴＬ１２０に変更し、対応するステイタスフィールド１０５ｇを空欄にする。【００４４】
ステイタスフィールド１０５ｇは、データ００００１１を格納するテープカートリッジ１１１００９を収納するマガジン６６が管理室１１と保管室１５との間を搬送中である旨をオペレータに表示している。搬送後は、制御部１０２は、場所フィールド１０５ｆをＴＬ１２０かＷＨ１５に変更し、対応するステイタスフィールド１０５ｇを空欄にする。【００４５】
その他、ステイタスフィールド１０５ｇは、テープカートリッジ２００がセル１４０にあるかテープ装置１６０にあるかを区別してもよい。【００４６】
閲覧頻度フィールド１０５ｈは、ディスク装置１１０又はテープカートリッジ２００に格納されているデータの閲覧頻度を示す。【００４７】
記憶部１０６は、ＲＯＭ、ＲＡＭ、各種のストレージを含む。入力部１０７は、キーボード、テンキー、各種のポインティングディバイス（マウス、トラックボールなど）を含む。表示部１０８はディスプレイから構成され、データ管理表１０５、管理対象としてのデータ、その他の管理データを表示する。出力部１０９はプリンタやアラーム音を出力するスピーカーから構成される。【００４８】
ディスク装置１１０は、本実施例ではＲＡＩＤ（Ｒｅｄｕｎｄａｎｔ Ａｒｒａｙｓ ｏｆ Ｉｎｅｘｐｅｎｓｉｖｅ Ｄｉｓｋｓ）を構成するが、ストレージの種類は限定されない。本実施例のディスク装置１１０は、複数のディスク装置１１０ａ乃至１１０ｃを有し、それぞれ管理対象としてのデータを一次記憶する。なお、本発明はディスク装置１１０がデータ管理表１０５を格納することを妨げるものではない。データを一次記憶するディスク装置１１０とデータを二次記憶するテープライブラリ１２０とが階層的な記憶システムを構成する。【００４９】
図３は、テープライブラリ１２０の斜視図である。図４は、図３に示すテープライブラリ１２０のフロントカバー１２２を開いた状態を示す斜視図である。テープライブラリ１２０は、ディスク装置１１０にケーブル１２ａを介して接続されてデータを二次記憶し、筺体１２１内に複数のテープカートリッジ２００と一対のマガジン２５０とを収納する。【００５０】
筺体１２１は、直方体形状（箱型）を有し、前面にフロントカバー１２２が開閉自在に図示しないヒンジを介して取り付けられている。フロントカバー１２２を開くと、図３（ｂ）に示すように、インナーカバー１２３が開閉自在に図示しないヒンジを介して取り付けられている。フロントカバー１２２には一対の開口部１２２ａが設けられており、インナーカバー１２３には一対の開口部１２３ａと一つの開口部１２３ｂとが設けられている。各開口部１２２ａ及び１２３ａは、対応する位置に設けられて、それぞれ一対のカートリッジアクセスステーション（Ｃａｒｔｒｉｄｇｅ Ａｃｃｅｓｓ Ｓｔａｔｉｏｎ：ＣＡＳ）１３０の各々に接続されている。開口部１２３ｂは、操作パネル１２５を露出する。【００５１】
操作パネル１２５は、各種のロックを解除したり、複数の空のテープカートリッジ２００を格納した新しいマガジン２５０を装填した際にロボット１５０にテープカートリッジ２００をセル１４０に移動させたりするなど、各種コマンドを入力するのに使用される。【００５２】
図５は、テープライブラリ１２０のフロントカバー１２２とインナーカバー１２３を開いた状態を示す斜視図である。図６は、テープライブラリ１２０のフロントカバー１２２とインナーカバー１２３を開き、マガジン２５０を装填した状態を示す正面図である。図７は、図５の部分拡大斜視図である。図８は、図７の部分拡大斜視図である。【００５３】
テープライブラリ１２０は、制御部１２６と、通信部１２７と、無線通信部１２８と、一対のＣＡＳ１３０と、複数の収納棚（セル）１４０と、一対のロボット１５０と、テープ装置１６０と、を有する。【００５４】
制御部１２６は、ＣＰＵやＭＰＵから構成され、図示しないメモリに格納されたソフトウェア、操作パネル１２５から入力された情報、及び、制御部１０２からの命令に基づいてテープライブラリ１２０の各部を制御する。なお、別の実施例では、制御部１２６は、テープカートリッジ２００へのデータ記憶状態と、テープカートリッジ２００の識別子及びマガジン２５０の識別子とに基づいてデータを管理する管理部として機能する。かかる実施例は、例えば、テープライブラリ１２０が直接上位装置に接続されている場合の実施例であり、制御部１２６が制御部１０２として機能する。【００５５】
通信部１２７は、管理装置１００と通信を行い、取得したテープカートリッジ２００の識別子とマガジン２５０の識別子とを管理装置１００に送信することができる。【００５６】
無線通信部１２８は、マガジン２５０と無線通信を行い、パッシブタグ（第１のタグ）２２０が保持するテープカートリッジ２００の識別子（第１情報）とアクティブタグ（第２のタグ）２８０が保持するマガジン２５０の識別子（第２情報）と、を取得する情報取得部として機能する。無線通信部１２８は、アクティブタグ２８０からデータを読み取ると共にアクティブタグ２８０にデータを書き込むリーダライタとして機能する。本実施例では、無線通信部１２８をテープライブラリ１２０と一体的に構成しているが、管理室１１と一体的に構成したり、ネットワーク１２に接続された独立の装置として構成したりしてもよい。【００５７】
ＣＡＳ１３０は、マガジン２５０が投入及び排出される投入排出部である。図８の左下に示すように、ＣＡＳ１３０は、上下にレール部１３２が設けられている。レール部１３２は、凸部１３２ａと一対の凹部１３２ｂからなる。また、ＣＡＳ１３０にはマガジン２５０に設けられたアクティブタグ２８０の情報を読み出すタグリーダ１３８が設けられている。なお、別の実施例では、タグリーダ１３８は書き込みも可能なリーダライタに置換される。本実施例では、マガジン２５０のＣＡＳ１３０への投入及びＣＡＳ１３０からの排出はオペレータが手動で行うが、別の実施例では外部の搬送装置が行う。【００５８】
セル１４０は、テープカートリッジ２００が投入及び排出される収納部である。図８の右下に示すように、セル１４０にはテープカートリッジ２００に設けられた無線ＩＣタグの情報を読み出すタグリーダ１４２が設けられている。【００５９】
なお、本実施例では、タグリーダ１３８は非接触にアクティブタグ２８０の情報を読み出し、タグリーダ１４２は非接触にパッシブタグ２２０の情報を読み出す。しかし、本発明は接触型のＩＣタグ及びタグリーダを使用することを妨げるものではない。【００６０】
ロボット１５０は、テープカートリッジ２００をＣＡＳ１３０内のマガジン２５０、セル１４０、テープ装置１６０の間で搬送する。【００６１】
テープ装置１６０には、テープカートリッジ２００が投入及び排出されると共にテープカートリッジ２００にデータを記録又はテープカートリッジ２００からデータを再生する。【００６２】
図９は、テープカートリッジ２００の斜視図である。テープカートリッジ２００は、ケース２１０の上面２１２にパッシブタグ（第1のタグ）２２０を備えている。ケース２１０は、データが記憶される図示しないテープ（記憶媒体）を格納する。パッシブタグ２２０は、バッテリを有しない無電源型の無線ＩＣタグ（ＲＦＩＤタグ）の一種である。なお、「無線ＩＣタグ」は、物体の識別に利用される微小な無線
1197614688515_0.html
1197614688515_1.html
であり、自身の識別子を格納し、管理システムと情報を無線により送受信する機能を有する。なお、バッテリを内蔵した無線ＩＣタグは「アクティブタグ」と呼ばれる。【００６３】
より詳細には、パッシブタグ２２０は、リーダライタからの誘導電力により電力が供給され、通信距離は数ミリから１ｍ程度である。しかし、価格が安く、メンテナンスが不要であり、寿命もほぼ半永久的である。パッシブタグ２２０は、ＩＣチップとアンテナを含んで小型に構成することができる。パッシブタグ２２０は、１３５ｋＨｚ以下の帯域、１３．５６ＭＨｚ帯、ＵＨＦ帯、２．４５ＧＨｚ帯を使用することができる。【００６４】
このように、本実施例のテープカートリッジ２００は、パッシブタグ２２０を使用し、パッシブタグ２２０はテープカートリッジ２００の識別子（第１情報）を格納している。上述したように、テープカートリッジ２００の識別子は図２に示すデータ管理表１０５のテープカートリッジＩＤフィールド１０５ｄのデータである。この点、パッシブタグ２２０の代わりにアクティブタグを使用することも考えられる。しかし、アクティブタグはバッテリが切れたら交換しなければならず、無数のテープカートリッジ２００のアクティブタグのバッテリを一定期間ごとに交換することは煩雑である。従って、本実施例では、テープカートリッジ２００にパッシブタグ２２０を使用し、コストダウンや省力化を図っている。【００６５】
ところが、パッシブタグ２２０の通信範囲は１ｍ以下であるため、テープライブラリ１２０から保管室１５にパッシブタグ２２０が移動されると管理室１１からパッシブタグ２２０と通信することができなくなる。そこで、本実施例では、マガジン２５０にテープカートリッジ２００の通信距離を延長するための手段を設けて保管室１５にあるテープカートリッジ２００の所在が管理室１１において把握できるように構成している。【００６６】
図１０及び図１１は、異なる角度から見たマガジン２５０の斜視図である。マガジン２５０は、筺体２５１と、制御ユニット２７０と、アクティブタグ（第２のタグ）２８０と、タグリーダ２６８と、を有する。筺体２５１は、略直方体形状（箱形）を有し、正面２５２と上面２５３と底面２５４と側面２５５を有する。【００６７】
正面２５２にはハンドル２６０が固定されている。また、正面２５２の上部には制御ユニット２７０が設けられており、その表示部２７６は、ＣＡＳ１３０にマガジン２５０が収納されても開口部１２２ａ及び１２３ａを介してテープライブラリ１２０の外部から目視することができる。【００６８】
上面２５３及び底面２５４には、一対の凸部２６２ａと、凹部２６２ｂからなる案内部２６２が形成されている。また、上面２５３には、図１０に示すように、アクティブタグ２８０が固定されている。側面２５５は開口しており、複数段のスロット２６３がＺ方向に形成されている。各スロット２６３には、Ｘ方向にテープカートリッジ２００を投入及び排出することができる。各スロット２６３の上面２６３ａには、図１１に示すように、タグリーダ（第１の読み取り部）２６８が取り付けられている。各タグリーダ２６８は、テープカートリッジ２００の上面２１２に貼り付けられたパッシブタグ２２０の識別子を読み取る。【００６９】
図１２は、マガジン２５０の制御系を示すブロック図である。制御ユニット２７０は、制御部２７１と、バッテリユニット２７２、表示部２７６及びリーダライタ２７７を有する。【００７０】
制御部２７１は、ＣＰＵやＭＰＵから構成され、テープライブラリ１２０の制御部１２６及び管理装置１００の制御部１０２と通信する他、マガジン２５０の動作、特に、図１２に示すバッテリユニット２７２、表示部２７６、リーダライタ２７７、タグリーダ２６８の動作を制御する。【００７１】
バッテリユニット２７２は、制御ユニット２７０の各部に電源を供給する。【００７２】
表示部２７６は、液晶ディスプレイやランプから構成され、マガジン２５０の状態を表示する。これらの状態は、（１）マガジン２５０がテープライブラリ１２０のＣＡＳ１３０に装着されたこと、（２）マガジン２５０がＣＡＳ１３０から分離されたこと、（３）アクティブタグ２８０のバッテリ２８４の残量が少ないこと、（４）アクティブタグ２８０のバッテリ２８４の残量がないこと、（５）マガジン２５０の位置をユーザに知らせること、を含むがこれらに限定されない。【００７３】
リーダライタ２７７は、タグリーダ２６８が読み取った情報をアクティブタグ２８０に書き込む機能とアクティブタグ２８０の情報を読み取る機能を有する。また、リーダライタ２７７は、バッテリ２７２の残量情報（交換を促す情報）をアクティブタグ２８０に書き込むことができる。【００７４】
アクティブタグ２８０は、制御部２８２、バッテリ２８４、メモリ２８６、無線通信部２８８を有する。アクティブタグ２８０は、バッテリ２８４から電力が供給され、通信距離は１０ｍ前後である。しかし、高価でバッテリ２８４の交換が必要である。また、アクティブタグ２８０は、寿命が約２乃至５年で基板やバッテリ２８４を含むために大型である。アクティブタグ２８０は、３０３ＭＨｚ又は３１５ＭＨｚ帯、４３３ＭＨｚ帯、２．４５ＧＨｚ帯を使用することができる。【００７５】
なお、パッシブタグ２２０もアクティブタグ２８０も片方向通信だけでなく双方向通信が可能である。また、それぞれ、読取専用（Ｒｅａｄ Ｏｎｌｙ：ＲＯ）型、ライトワンス（Ｗｒｉｔｅ Ｏｎｃｅ Ｒｅａｄ Ｍａｎｙ：ＷＯＲＭ）型、読書可能（Ｒｅａｄ Ｗｒｉｔｅ：ＲＷ）型とすることができる。本実施例のアクティブタグ２８０はＲＷ型である。【００７６】
制御部２８２は、アクティブタグ２８０の各部を制御する。バッテリ２８４は、アクティブタグ２８０の各部に電力を供給する。制御部２８２は、バッテリ２８４の残量情報（交換を促す情報）をメモリ２８６に格納することができる。メモリ２８６は、マガジン２５０の識別子（第２情報）を格納する。上述したように、マガジン２５０の識別子は図２に示すデータ管理表１０５のマガジンＩＤフィールド１０５ｅのデータである。また、メモリ２８６には、リーダライタ２７７からタグリーダ２６８が読み取ったデータが書き込まれる。更に、メモリ２８６は、バッテリ２７２及び２８４の交換情報を保持する。更に、メモリ２８６は、無線通信部（リーダライタ）１２８からデータが書き込まれる。無線通信部２８８は、無線通信部１２８と無線通信を行い、メモリ２８６の内容を無線通信部１２８に通知する。無線通信部１２８は、テープカートリッジ２００の識別子とマガジン２５０の識別子とをテープライブラリ１２０に送信する（第２の）送信部として機能する。送信のタイミングは定期的（例えば、１日１回）であってもよい。【００７７】
本実施例では、テープカートリッジ２００とマガジン２５０の情報を無線通信部１２８に送信するのにマガジン２５０のアクティブタグ２８０を使用しているので、独立の無線通信部をマガジン２５０に設ける必要性を排除している。また、テープカートリッジ２００のパッシブタグ２２０に格納されたデータをタグリーダ２６８及びリーダライタ２７７を介してアクティブタグ２８０に書き込んでいるためにマガジン２５０にパッシブタグ２２０に格納されたデータを保持するメモリを設ける必要性を排除している。【００７８】
以下、図１３を参照して、アーカイブストレージシステム１０の動作について説明する。ここで、図１３は、アーカイブストレージシステム１０の動作を説明するフローチャートである。【００７９】
まず、制御部１０２は、データを、端末１３からディスク装置１１０に格納（一次記憶）し、データ管理表１０５を作成する（ステップ１１００）。データの種類は、特に限定されず、制御部１０２は、ステップ１１００を一定期間毎に実行してもよい。例えば、午前０時に直前２４時間データを格納するなどである。データは、文書、画像、動画、メールその他の情報を含み、格納の単位は、部署、人、時間、データの種類、その他の単位、若しくはこれらの組み合わせであってもよい。データを一次記憶した後は、制御部１０２は記憶部１０６にデータ管理表１０５を作成（又は更新）する。データ管理表１０５は、例えば、図２に示すデータ０００００１や０００００２のようになる。データを一次記憶した直後は、制御部１０２は、閲覧の事実がなくても閲覧頻度フィールド１０５ｈを「高」に設定する。【００８０】
次に、制御部１０２は、閲覧要求を処理し（ステップ１２００）、ディスク装置１１０に格納されているデータを、ネットワーク１２を介して端末１３に閲覧可能にする。【００８１】
次に、制御部１０２は、データの閲覧頻度を判定する（ステップ１３００）。閲覧頻度の判定は、閲覧要求の回数を設定された期間（例えば、２週間、１ヶ月、３ヶ月など）で除すことによって算出される。記憶部１０６は、閲覧頻度の閾値も格納している。制御部１０２は、閲覧頻度を定期的（例えば、６ヶ月毎、１年毎）に算出し、記憶部１０６に格納された閾値と比較する。本実施例では、閾値として第１の閾値と第１の閾値よりも低い第２の閾値が用意されている。算出された閲覧頻度が第１の閾値以上であれば、制御部１０２は閲覧頻度フィールド１０５ｈを「高」に設定する。また、算出された閲覧頻度が第２の閾値以上第１の閾値未満であれば、制御部１０２は閲覧頻度フィールド１０５ｈを「中」に設定する。また、算出された閲覧頻度が第２の閾値未満であれば、制御部１０２は閲覧頻度フィールド１０５ｈを「低」に設定する。【００８２】
なお、図２及び図１３においては閲覧頻度によってデータを分類しているが、本発明はこれに限定されるものではない。例えば、データを保管期間の長さで分類してもよい。例えば、法律上１０年間保管が義務付けられているデータについて、最初の３年をディスク装置１１０に格納し、次の３年をテープライブラリ１２０に格納し、最後の４年を保管室１５に格納してもよい。また、この場合、１０年を過ぎたデータを破棄することも考えられるのでデータ管理表１０５に破棄のフィールドを設けてもよい。また、データの分類を管理装置１００のオペレータの指示で行ってもよい。【００８３】
次に、制御部１０２は、閲覧頻度が高いデータについてはディスク装置１１０の格納に割り当て（ステップ１４００）、閲覧頻度が中位のデータについてはテープライブラリ１２０の格納に割り当て（ステップ１５００）、閲覧頻度が低いデータについては保管室１５の格納に割り当てる（ステップ１６００）。【００８４】
なお、ステップ１４００において、制御部１０２は、データが、図２に示すデータ０００００１や０００００２のように、既にディスク装置１１０にあれば現在の状態を維持する。しかし、データ００００１０のようにテープライブラリ１２０にあればディスク装置１１０にデータを移動して、データ管理表１０５のカートリッジＩＤフィールド１０５ｄ、場所フィールド１０５ｆ、ステイタスフィールド１０５ｇ、閲覧頻度フィールド１０５ｈを更新する。【００８５】
同様に、ステップ１５００において、制御部１０２は、データが、図２に示すデータ０００００４のように、既にテープライブラリ１２０にあれば現在の状態を維持する。しかし、データ０００００３のようにディスク装置１１０にあればテープライブラリ１２０にデータを移動して、データ管理表１０５のディスク装置ＩＤフィールド１０５ｃ、カートリッジＩＤフィールド１０５ｄ、場所フィールド１０５ｆ、ステイタスフィールド１０５ｇ、閲覧頻度フィールド１０５ｈを更新する。【００８６】
更に、ステップ１６００において、制御部１０２は、データが、図２に示すデータ０００００６のように、既に保管室１５にあれば現在の状態を維持する。しかし、データ０００００５のようにテープライブラリ１２０にあればマガジン２５０に当該データを格納しているテープカートリッジ２００を移動してマガジン２５０を保管室１５に格納するようにオペレータに表示部１０８を通じて通知する。オペレータがマガジン２５０を保管室１５に移動すると、制御部１０２は、データ管理表１０５のマガジンＩＤフィールド１０５ｄ、場所フィールド１０５ｆ、ステイタスフィールド１０５ｇ、閲覧頻度フィールド１０５ｈを更新する。その後、オペレータは新しいテープカートリッジ２００が充填されたマガジン２５０をＣＡＳ１３０に装填する。次いで、制御部１０２がテープライブラリ１２０の制御部１２６に対して、ロボット１５０を介して新しいテープカートリッジ２００をセル１６０に移動するように命令する。この時点で、テープライブラリ１２０の制御部１２６は新しいマガジン２５０とテープカートリッジ２００のＩＤを把握して制御部１０２に通知してもよいし、制御部１０２はデータをテープカートリッジ２００に格納する際にかかる情報を取得してもよい。【００８７】
以下、図１４（ａ）乃至図１４（ｃ）を参照して、閲覧処理（ステップ１２００）の詳細について説明する。ここで、図１４（ａ）は、ステップ１２００の詳細を説明するためのフローチャートである。【００８８】
まず、制御部１０２は、要求されたデータの場所をデータ管理表１０５の場所フィールド１０５ｆで検索する（ステップ１２１０）。制御部１０２は、場所フィールド１０５ｆの検索において、要求されたデータがディスク装置１１０にあると判断すると（ステップ１２２０）、要求したユーザ（例えば、端末１３）にディスク装置１１０に格納されたデータへの閲覧を許可する（ステップ１２３０）。一方、制御部１０２は、場所フィールド１０５ｆの検索において、要求されたデータがテープライブラリ１２０にあると判断すると（ステップ１２２０、１２４０）、制御部１０２は、テープライブラリ１２０からディスク装置１１０にデータの再格納を行う（ステップ１２５０）。【００８９】
具体的には、制御部１０２は、テープライブラリ１２０の制御部１２６に再格納を指示する（ステップ１２５１）。次に、テープライブラリ１２０の制御部１２６は対象データをテープカートリッジ２００からディスク装置１１０に移動する（ステップ１２５２）。次に、制御部１０２は、データ管理表１０５のテープカートリッジＩＤフィールド１０５ｄをＮＡに、場所フィールド１０５ｆをＤＤ１１０に、閲覧頻度フィールド１０５ｈを「高」に更新する（ステップ１２５３）。【００９０】
また、制御部１０２は、場所フィールド１０５ｆの検索において、要求されたデータが保管室１５にあると判断すると（ステップ１２２０、１２４０、１２６０）、保管室１５からマガジン２５０の搬出処理を行う（ステップ１２７０）。搬送処理（ステップ１２７０）に移行する場合、データを入手するのに時間がかかるため、データの要求者に閲覧準備中である旨の送信を行う。制御部１０２は、場所フィールド１０５ｆの検索において、要求されたデータが、ディスク装置１１０、テープライブラリ１２０及び保管室１５のいずれにもないと判断すると（ステップ１２２０、１２４０、１２６０）、エラーメッセージを要求者に送信する（ステップ１２８０）。【００９１】
以下、図１４（ｃ）を参照して、保管室１５からマガジン２５０を搬送する処理（ステップ１２７０）について説明する。ここで、図１４（ｃ）は、ステップ１２７０の詳細を説明するためのフローチャートである。【００９２】
まず、制御部１０２は、要求されたデータのテープカートリッジＩＤとマガジンＩＤをデータ管理表１０５のカートリッジＩＤフィールド１０５ｄ及びマガジンＩＤフィールド１０５ｅから取得する(ステップ１２７１)。【００９３】
一方、テープライブラリ１２０は、無線通信部（リーダライタ）１２８を通じて保管室１５におけるマガジン２５０の配置情報を取得する（ステップ１２７２）。
また、テープライブラリ１２０は、通信部１２７を通じてマガジン２５０の配置情報を管理装置１００に送信する（ステップ１２７３）。配置情報は、例えば、図１に示す保管室１５のようなもので、マガジン２５０の位置情報と、マガジン２５０の識別子と各マガジン２５０に収納されるテープカートリッジ２００の識別子を含む。次に、制御部１０２は、テープライブラリ１２０から取得した情報を記憶部１０６に記憶する（ステップ１２７４）。【００９４】
次に、制御部１０２は、ステップ１２７１で取得したマガジンＩＤを有する目標マガジン２５０の位置と、ステップ１２７１で取得したカートリッジジＩＤを有する目標テープカートリッジ２００の目標マガジン２５０における位置を、ステップ１２７２で取得した情報において検索する（ステップ１２７５）。この結果、配置情報において目標マガジン２５０と、目標マガジン２５０のどのスロット２６３に目標テープカートリッジ２００があるかを特定することができる。このとき。制御部１０２は、保管室１５の見取図とステップ１２７３及び１２７４の結果を重ね合わせることが好ましい。保管室１５の見取図は記憶部１０６に格納されている。保管室１５の見取図と組み合わせることにより、例えば、目標マガジン２５０がドアを入ったら右に曲がって二本目の柱に最も近くその右側にあることを把握することができる。【００９５】
次に、制御部１０２は、目標マガジン２５０と目標テープカートリッジ２００の位置を（保管室１５の見取図において）表示部１０８に表示したり、必要があれば、出力部１０９に出力したりする（ステップ１２７６）。次に、制御部１０２は、無線通信部１２８を介して表示コマンドを送信する（ステップ１２７７）。これにより、保管室１５で作業者が目標マガジン２５０を容易に発見することができるようになる。保管室１５におけるデータは、例えば、図２のデータ０００００８である。制御部１０２は、当該マガジン２５０が保管室１５から搬出された後は、データ管理表１０５の場所フィールド１０５ｆ、ステイタスフィールド１０５ｇを、例えば、図２に示すデータ００００１１のように、更新する（ステップ１２７８）。制御部１０２は、当該マガジン２５０がテープライブラリ１２０に収納された後は、閲覧頻度フィールド１０５ｈを「低」から「中」に変更する。これは、目標マガジン２５０がテープライブラリ１２０に到着した後ですぐに保管室１５に逆戻りされることを防止するためである。次に、制御部１０２は、該マガジン２５０がテープライブラリ１２０に収納された後は、テープライブラリ１２０の制御部１２６に命令してマガジン２５０からセル１６０にテープカートリッジ２００をロボット１５０で移動させるようにする。その後、制御部１０２は、ステップ１２５０に帰還する（ステップ１２７９）。【００９６】
以下、図１４（ｄ）を参照して、表示コマンド送信（ステップ１２７７）後の図１２の制御系の動作について説明する。ここで、図１４（ｃ）は、ステップ１２７７後の制御系の動作を説明するためのフローチャートである。まず、アクティブタグ２８０は無線通信部１２８から取得した表示コマンドをメモリ２８６に格納する（ステップ１２９０）。次に、制御部２７１はリーダライタ２７７を介して表示コマンドをアクティブタグ２８０から取得する（ステップ１２９１）。次に、制御部２７１は表示コマンドに基づいて表示部２７６をブルー表示する（ステップ１２９２）。これにより、保管室１５に入室した作業者が青色に点灯しているマガジン２５０目標マガジン２５０として探せばよいので目標マガジン２５０への到達が容易になる。なお、表示コマンドは、別の色（赤色など）、別の点灯方法（点滅など）、その他の方法（アラーム音の生成）を使用してよいことはいうまでもない。【００９７】
以上、本実施例によれば、管理室１１のオペレータは、保管室１５に目標テープカートリッジ２００があるという事実だけでなくその保管室１５における位置と目標マガジン２５０内における位置を把握することができるため、データ管理が容易になる。【００９８】
以下、図１５を参照して、制御部１０２が行うメンテナンス処理（ステップ１７００）について説明する。まず、制御部１０２は、定期メンテナンス時期であるかどうかを判断する（ステップ１７１０）。定期メンテナンス時期であると判断した場合にはオペレータにメンテナンス時期である旨を通知するメッセージを表示部１０８に表示する（ステップ１７２０）。次に、制御部１０２は、バッテリの残量不足の通知を受けたかどうかを判断する（ステップ１７３０）。通知を受けた場合には（ステップ１７３０）、制御部１０２は、バッテリの交換メッセージを表示部１０８に表示する（ステップ１７４０）。ステップ１７４０において、制御部１０２は、バッテリの種類、即ち、マガジン２５０の制御ユニット２７０のバッテリ２７２であるかアクティブタグ２８０のバッテリ２８４であるかのいずれであるかを表示する。本実施例は、かかる表示を、データ管理表１０５のステイタスフィールド１０５ｇにおいて「バッテリ残量少」として反転強調することにより行う。【００９９】
続いて、制御部１０２は、交換対象である目標バッテリの位置を取得（ステップ１７５０）。目標バッテリがマガジン２５０の制御ユニット２７０のバッテリ２７２であり、マガジン２５０がテープライブラリ１２０に装填されている場合には、制御部２７１がテープライブラリ１２０の制御部１２６にその旨を通知し、テープライブラリ１２０の制御部１２６がその後、制御装置１００の制御部１０２に通知したものである。このため、制御部１０２はテープライブラリ１２０のどちらのマガジン２５０のバッテリ２７２が目標バッテリであるかをテープライブラリ１２０の制御部１２６から取得することができる。必要があれば、制御部１０２は、表示コマンドをテープライブラリ１２０に送信して目標マガジン２５０の表示部２７６をレッド表示してもよい。表示色や方法が限定されないことはステップ１２９２と同様である。【０１００】
一方、目標バッテリがマガジン２５０のアクティブタグ２８０のバッテリ２８４であり、マガジン２５０がテープライブラリ１２０に装填されている場合には、図８の左下に示すテープライブラリ１２０のタグリーダ１３８がアクティブタグ２８０と交信をし、テープライブラリ１２０の制御部１２６にその旨を通知し、テープライブラリ１２０の制御部１２６がその後管理装置１００の制御部１０２に通知したものである。このため、制御部１０２はテープライブラリ１２０のどちらのマガジン２５０のアクティブタグ２８０のバッテリ２８４が目標バッテリであるかをテープライブラリ１２０の制御部１２６から取得することができる。必要があれば、制御部１０２は、無線通信部１２８を介して表示コマンドをアクティブタグ２８０に送信して、ステップ１２９２で説明したように、目標マガジン２５０の表示部２７６をレッド表示してもよい。タグリーダ１３８をリーダライタに置換する場合には、制御部１０２は、表示コマンドをテープライブラリ１２０に送信してリーダライタから表示コマンドをアクティブタグ２８０に格納し、ステップ１２９２で説明したように、目標マガジン２５０の表示部２７６をレッド表示してもよい。【０１０１】
また、目標バッテリがマガジン２５０の制御ユニット２７０のバッテリ２７２であり、マガジン２５０が保管室１５に配置されている場合には、制御部２７１がリーダライタ２７７を介してメモリ２８６に書き込み、アクティブタグ２８０の無線通信部２８８が無線通信部１２８にその旨を通知し、無線通信部１２８がその後管理装置１００の制御部１０２に通知したものである。このため、制御部１０２はかかるバッテリを有するマガジン２５０を特定する。【０１０２】
かかる特定方法を、図１６を参照して説明する。ここで、図１６は、保管室１５にある残量不足のマガジンを特定する方法を説明するためのフローチャートである。まず、制御部１０２は、テープライブラリ１２０の無線通信部１２８と通信部１２７を通じてから保管室１５におけるマガジン２５０の配置情報と残量不足を通知したマガジン２５０の位置情報を取得する（ステップ１７５１）。配置情報はステップ１２７２で取得する配置情報と同じである。次に、制御部１０２は、保管室１５の見取図とステップ１７５１の結果を重ね合わせる（ステップ１７５２）。次に、目標マガジン２５０の位置を保管室１５の見取図において表示部１０８に表示したり、必要があれば、出力部１０９に出力したりする（ステップ１７５３）。次に、制御部１０２は、無線通信部１２８を介して表示コマンドを送信する（ステップ１７５４）。かかる表示コマンドに基づき制御部２７１は表示部２７６をレッド表示する。これにより、保管室１５で作業者が目標マガジン２５０を容易に発見することができるようになる。次に、制御部１０２は、データ管理表１０５のステイタスフィールド１０５ｇを、例えば、図２に示すデータ０００００７のように、更新する（ステップ１２７８）。バッテリ２７２の交換が終了したら、制御部１０２は、データ管理表１０５のステイタスフィールド１０５ｇを空欄に更新する。【０１０３】
一方、目標バッテリがマガジン２５０のアクティブタグ２８０のバッテリ２８４であり、マガジン２５０が保管室１５に配置されている場合には、アクティブタグ２８０の無線通信部２８８が無線通信部１２８にその旨を通知し、無線通信部１２８がその後管理装置１００の制御部１０２に通知したものである。このため、制御部１０２はかかるアクティブタグ２８０を有するマガジン２５０を特定する。特定方法は、図１６と同様であるので説明は省略する。【０１０４】
次に、制御部１０２は、マガジン２５０内のテープカートリッジ２００の構成に変更があったかどうかを判断する（ステップ１７６０）。例えば、保管室１５に侵入した者がマガジン２５０からいずれかのテープカートリッジ２００を抜き取るような場合である。制御部１０２は、直前のマガジン２５０内のテープカートリッジ２００の構成を記憶部１０６に格納しておき、それを現在の構成と比較することによってステップ１７６０の判断をすることができる。制御部１０２は、異常があれば異常メッセージを表示部１０８に表示したり、出力部１０９からアラーム音を出力したりしてオペレータに知らせる。制御部１０２は、マガジン２５０内のテープカートリッジ２００の構成に変更がないと判断すれば（ステップ１７６０）、ステップ１７１０に帰還する。
【実施例２】
【０１０５】
図１７は、図１２に示す制御系に対応する実施例２の制御系のブロック図である。本実施例のマガジン２５０は、制御ユニット２７０の代わりに制御ユニット２７０Ａを使用している点で実施例１と相違する。制御ユニット２７０Ａは、制御部２７１、バッテリ２７２、表示部２７６に加えて、メモリ２７４と無線通信部２７８を更に有するが、リーダライタ２７７を有しない点で制御ユニット２７０と相違する。【０１０６】
本実施例では、アクティブタグ２８０の通信と無線通信部２７８による通信とは独立に行われる。また、アクティブタグ２８０はマガジン２５０の識別子のみを格納し、その他のデータを格納しない。動作において、アクティブタグ２８０は格納している識別子を無線通信部１２８に送信する。また、制御部２７１は、テープカートリッジ２００の識別子をタグリーダ２６８で読み取ってメモリ２７４に格納すると共にバッテリ２７２の残量情報（交換情報、より広義にはマガジン２５０の状態情報）を読み取ってメモリ２７４に格納する。なお、その他、メモリ２７４が格納するマガジン２５０の状態情報にはマガジンの位置情報がある。次いで、メモリ２７４に格納された情報を無線通信部２７８から無線通信部１２８に送信する。【０１０７】
この場合、図１４（ｂ）のステップ１２７２において制御部１０２はマガジン２５０の配置情報をアクティブタグ２８０から取得し、テープカートリッジ２００の配置情報を無線通信部２７８から取得する。また、ステップ１２７７において表示コマンドは無線通信部２７８が受信する。図１４（ｃ）のステップ１２９０はなくなり、ステップ１２９１は、「制御部２７１は無線通信部２７８を介して無線通信部１２８から取得した表示コマンドをメモリ２７４に格納」と読み替えれば足りる。【０１０８】
本実施例においても目標マガジン２５０及び目標テープカートリッジ２００の位置を突き止めることができるという高価を与えることができる。【０１０９】
なお、無線通信部２７８も、テープカートリッジ２００の識別子とマガジン２５０の識別子とをテープライブラリ１２０に送信する（第２の）送信部として機能する。送信のタイミングは定期的（例えば、１日１回）であってもよいし、前回送信した情報と変化が生じた場合に送信してもよい。例えば、保管室１５に侵入した者がマガジン２５０からいずれかのテープカートリッジ２００を抜き取るような場合である。制御部２７１は、直前のマガジン２５０内のテープカートリッジ２００の構成をメモリ２７４に格納しておき、それを現在の構成と比較することによって前回送信した情報と変化が生じたかどうかを判断することができる。
【実施例３】
【０１１０】
図１８は、図１２に示す制御系に対応する実施例３の制御系のブロック図である。本実施例のマガジン２５０は、制御ユニット２７０の代わりに制御ユニット２７０Ｂを使用し、アクティブタグ２８０の代わりにパッシブタグ２８０Ａを使用している点で実施例１と相違する。制御ユニット２７０Ｂは、制御部２７１、バッテリ２７２、表示部２７６に加えて、メモリ（記憶部）２７４と無線通信部２７８を更に有し、また、リーダライタ２７７の代わりにタグリーダ２７７Ａを有する点で制御ユニット２７０と相違する。但し、タグリーダ２７７Ａではなくリーダライタ２７７をそのまま使用してもよい。【０１１１】
本実施例では、マガジン２５０がパッシブタグ２８０Ａを使用し、パッシブタグ２８０Ａは無線通信部１２８と通信可能な通信距離を有しない。動作において、パッシブタグ２８０Ａに格納された識別子をタグリーダ２７７Ａが読み取ってメモリ２７４に格納し、テープカートリッジ２００の識別子をタグリーダ２６８で読み取ってメモリ２７４に格納する。更に、制御部２７１は、バッテリ２７２の残量情報（交換情報、より広義にはマガジン２５０の状態情報）を読み取ってメモリ２７４に格納する。なお、その他、メモリ２７４が格納するマガジン２５０の状態情報にはマガジンの位置情報がある。次に、制御部２７１は、メモリ２７４に格納された情報を無線通信部２７８から無線通信部１２８に送信する。【０１１２】
この場合、図１４（ｂ）及び図１６の動作は、無線通信部１２８が無線通信部２７８と通信する以外は同様である。また、図１４（ｃ）は、ステップ１２９０がなくなり、ステップ１２９１は、「制御部２７１は無線通信部２７８を介して無線通信部１２８から取得した表示コマンドをメモリ２７４に格納」と読み替えれば足りる。【０１１３】
本実施例においては、マガジン２５０は高価なアクティブタグ２８０を設ける必要がなくなる。また、バッテリ２７２がアクティブタグ２８０のバッテリもかねるので２種類のバッテリを交換する必要がなくなりメンテナンス性が向上する。【０１１４】
なお、アクティブタグ２８０を使用してそれが格納するマガジン２５０の識別子をタグリーダ２７７Ａで読み取ってメモリ２７４に格納し、タグリーダ２６８で読み取ったテープカートリッジ２００の識別子もメモリ２７４に格納し、これらの識別子を無線通信部２７８から送信してもよい。
【実施例４】
【０１１５】
図１９は、図１２に示す制御系に対応する実施例４の制御系のブロック図である。本実施例のマガジン２５０は、制御ユニット２７０の代わりに制御ユニット２７０Ｃを使用し、アクティブタグ２８０の代わりにバーコードラベル２８０Ｂを使用している点で実施例３と相違する。制御ユニット２７０Ｃは、制御部２７１、バッテリ２７２、メモリ２７４、表示部２７６、無線通信部２７８を有する点では制御ユニット２７０Ｂと同様であるが、また、タグリーダ２７７Ａの代わりにバーコードリーダ２７７Ｂを有する点で制御ユニット２７０Ａと相違する。【０１１６】
本実施例では、マガジン２５０がバーコードラベル２８０Ｂを使用し、バーコードラベル２８０Ｂは無線通信部１２８と通信可能な通信距離を有しない。動作において、バーコードラベル２８０Ｂが示す識別子をバーコードリーダ２７７Ｂが読み取ってメモリ２７４に格納し、テープカートリッジ２００の識別子をタグリーダ２６８で読み取ってメモリ２７４に格納する。更に、制御部２７１は、バッテリ２７２の残量情報（交換情報、より広義にはマガジン２５０の状態情報）を読み取ってメモリ２７４に格納する。なお、その他、メモリ２７４が格納するマガジン２５０の状態情報にはマガジンの位置情報がある。次に、制御部２７１は、メモリ２７４に格納された情報を無線通信部２７８から無線通信部１２８に送信する。【０１１７】
この場合、図１４（ｂ）及び図１６の動作は、無線通信部１２８が無線通信部２７８と通信する以外は同様である。また、図１４（ｃ）は、ステップ１２９０がなくなり、ステップ１２９１は、「制御部２７１は無線通信部２７８を介して無線通信部１２８から取得した表示コマンドをメモリ２７４に格納」と読み替えれば足りる。【０１１８】
本実施例においては、マガジン２５０はパッシブタグ２８０Ａよりも更に安価なバーコードラベル２８０Ｂを使用し、バッテリも必要としないので省電力化を図ることができる。
【実施例５】
【０１１９】
図２０は、図１２に示す制御系に対応する実施例５の制御系のブロック図である。本実施例のマガジン２５０は、実施例４と同様に、制御ユニット２７０Ｃを使用するが、実施例４と異なり、タグリーダ２６８の代わりにバーコードリーダ２６８Ａを使用する。また、パッシブタグ２２０の代わりにバーコードラベル２３０を使用している点で実施例４と相違する。【０１２０】
図２１は、バーコードラベル２３０を使用するテープカートリッジ２００Ａの斜視図である。テープカートリッジ２００Ａは、テープカートリッジ２００と同一のケース２１０の背面２１４にバーコードラベル２３０が貼り付けられている。バーコードラベル２３０は、テープカートリッジ２００Ａの識別子を表す。バーコードラベル２３０は、単なる印刷で足りるためにパッシブタグよりも更にコストダウンを図ることができる。【０１２１】
従来のように、バーコードラベル２３０を付したテープカートリッジ２００Ａがテープライブラリ１２０から保管室１５に移動されると管理室１１からテープカートリッジ２００Ａの所在を突き止めることができなくなる。そこで、本実施例では、マガジン２５０にバーコードリーダ２６８Ａを設けると共に無線通信部２７８を設けて保管室１５にあるテープカートリッジ２００の所在が管理室１１において把握できるように構成している。【０１２２】
動作において、バーコードラベル２３０が示す識別子をバーコードリーダ２６８Ａが読み取ってメモリ２７４に格納し、バーコードラベル２８０Ｂが示す識別子をバーコードリーダ２７７Ｂが読み取ってメモリ２７４に格納する。更に、制御部２７１は、バッテリ２７２の残量情報（交換情報、より広義にはマガジン２５０の状態情報）を読み取ってメモリ２７４に格納する。なお、その他、メモリ２７４が格納するマガジン２５０の状態情報にはマガジンの位置情報がある。次に、制御部２７１は、メモリ２７４に格納された情報を無線通信部２７８から無線通信部１２８に送信する。その他、動作の変更点は実施例４と同様である。【０１２３】
本実施例においては、テープカートリッジ２００Ａはパッシブタグ２２０よりも更に安価なバーコードラベル２３０を使用し、コストダウンを図っている。【０１２４】
なお、実施例５を実施例１乃至４と組み合わせてもよいことは言うまでもない。【０１２５】
以上、本発明の実施例を説明したが、本発明はこれらの実施例に限定されず、その要旨の範囲内で様々な変形及び変更が可能である。
【産業上の利用の可能性】
【０１２６】
本発明によれば、データ管理に優れた階層記憶システム、ライブラリ装置及びマガジン、並びに、階層記憶システムの制御方法を提供することができる。
【図１】
2009078082.tif 000003
【図２】
2009078082.tif 000004
【図３】
2009078082.tif 000005
【図４】
2009078082.tif 000006
【図５】
2009078082.tif 000007
【図６】
2009078082.tif 000008
【図７】
2009078082.tif 000009
【図８】
2009078082.tif 000010
【図９】
2009078082.tif 000011
【図１０】
2009078082.tif 000012
【図１１】
2009078082.tif 000013
【図１２】
2009078082.tif 000014
【図１３】
2009078082.tif 000015
【図１４】
2009078082.tif 000016
【図１５】
2009078082.tif 000017
【図１６】
2009078082.tif 000018
【図１７】
2009078082.tif 000019
【図１８】
2009078082.tif 000020
【図１９】
2009078082.tif 000021
【図２０】
2009078082.tif 000022
【図２１】
2009078082.tif 000023
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
データを一次記憶するディスク装置と、
前記ディスク装置に接続されて前記データを二次記憶するライブラリ装置と、
前記ディスク装置と前記ライブラリ装置間のデータ移行を制御する制御装置とを有する階層記憶システムであって、
前記ライブラリ装置は、
第１のタグを有して前記データが記憶される記憶媒体を格納するカートリッジを収納可能であって第２のタグを有するマガジンが投入及び排出される投入排出部と、
前記第１のタグが保持して前記カートリッジを識別する第１情報と前記第２のタグが保持して前記マガジンを識別する第２情報とを無線通信により取得する情報取得部と、
取得された前記第１情報と前記第２情報とを前記制御装置に送信する第１の送信部とを有し、
前記制御装置は、
前記ライブラリ装置から送信された前記第１情報と前記第２情報とを記憶する第１の記憶部と、
前記ディスク装置と前記ライブラリ装置間のデータ移行状態と前記第１の記憶部に記憶される前記第１情報と前記第２情報とに基づいて、前記データの所在を管理する管理部と、
を有することを特徴とする階層記憶システム。
【請求項２】
前記マガジンは、
前記第１情報を読み取る読み取り部と、
前記第1情報と前記第２情報とを前記ライブラリ装置に送信する第２の送信部と、
を有することを特徴とする請求項１に記載の階層記憶システム。
【請求項３】
前記第２のタグはアクティブタグであり、
前記マガジンは、前記第１情報を前記第２のタグに書き込む書き込み部を更に有し、
前記第２の送信部は前記第２のタグの一部である請求項２に記載の階層記憶システム。
【請求項４】
前記第２のタグは前記マガジンの状態情報を記憶することを特徴とする請求項３に記載の階層記憶システム。
【請求項５】
前記第２の送信部は、定期的に、前記ライブラリ装置に前記第１情報と前記第２情報とを送信することを特徴とする請求項２に記載の階層記憶システム。
【請求項６】
前記第２の送信部は、前回送信した情報と変化が生じた場合に、前記ライブラリ装置に前記第１情報と前記第２情報とを送信することを特徴とする請求項２に記載の階層記憶システム。
【請求項７】
前記マガジンは、前記第１情報と前記第２情報とを記憶する第２の記憶部を更に有し、
前記第２の送信部は、前記第２の記憶部に記憶された前記第１情報と前記第２情報とを前記ライブラリ装置に送信することを特徴とする請求項２に記載の階層記憶システム。
【請求項８】
データを一次記憶するディスク装置と、
前記ディスク装置に接続されて前記データを二次記憶するライブラリ装置と、
前記ディスク装置と前記ライブラリ装置間のデータ移行を制御する制御装置とからなる階層記憶システムの制御方法であって、
前記データが記憶される記憶媒体を格納するカートリッジに備えられた第１のタグが保持して前記カートリッジを識別する第１情報と、前記カートリッジを収納可能なマガジンに備えられて第２のタグが保持して前記マガジンを識別する第２情報とを前記ライブラリ装置の情報取得部は前記マガジンから無線通信により取得する取得ステップと、
前記取得ステップにおいて取得した前記第１情報と前記第２情報とを前記ライブラリ装置が前記制御装置に送信する送信ステップと、
前記制御装置が前記ライブラリ装置から送信された前記第１情報と前記第２情報とを記憶部に記憶する記憶ステップと、
前記制御装置が前記ディスク装置と前記ライブラリ装置間のデータ移行状態と前記記憶部に記憶される前記第１情報と前記第２情報とに基づいて前記データの所在を管理する管理ステップと、
を有することを特徴とする階層記憶システムの制御方法。
【請求項９】
データを記憶する記憶媒体を管理するライブラリ装置であって、
第１のタグを有して前記記憶媒体を格納するカートリッジを収納可能であって第２のタグを有するマガジンが投入及び排出される投入排出部と、
前記第１のタグが保持して前記カートリッジを識別する第１情報と前記第２のタグが保持して前記マガジンを識別する第２情報とを無線通信により取得する情報取得部と、
前記記憶媒体へのデータ記憶状態と前記第１情報と前記第２情報とに基づいて前記データの所在を管理する管理部と、
を有することを特徴とするライブラリ装置。
【請求項１０】
データが記憶される記憶媒体を格納するカートリッジを収納可能なマガジンであって、
前記カートリッジに備えられた第１のタグが保持して前記カートリッジを識別する第１情報を読み取る読み取り部と、
前記マガジンを識別する第２の情報を保持する第２のタグと、
前記第１情報を送信する送信部と、
を有することを特徴とするマガジン。
【請求項１１】
データを一次記憶するディスク装置と、
第１情報を保持する第１のタグを有して前記データが記憶されるカートリッジを収納可能であって第２情報を保持する第２のタグを有するマガジンが投入及び排出可能であり、前記ディスク装置に接続されて前記データを二次記憶するライブラリ装置と、
前記ディスク装置と前記ライブラリ装置間のデータ移行を制御する制御装置と、を有する階層記憶システムであって、
前記第１情報は前記カートリッジに識別子を表し、第２情報は前記マガジンを識別し、
前記マガジンは第１の無線通信部を有し、
前記階層記憶システムは、前記第１の無線通信部と通信可能な第２の無線通信部を更に有し、
前記制御装置は、前記第２の無線通信部が前記第１の無線通信部から受信した前記第１情報及び第２情報に基づいて前記カートリッジの位置を検出することを特徴とする階層記憶システム。
【請求項１２】
各々が複数のカートリッジを収納可能な複数のマガジンが設けられ、
前記第２の無線通信部は、前記第１の無線通信部から前記マガジンを保管する保管室における前記マガジンの配置情報を取得し、
前記配置情報は、各マガジンの位置情報と、各マガジンの識別子と、各マガジンに収納される前記カートリッジの識別子を含むことを特徴とする請求項１１に記載の階層記憶システム。
【請求項１３】
前記制御装置は、前記保管室の見取図を格納する記憶部を更に有し、
前記制御装置は、前記マガジンの配置情報を前記見取図と重ねることによって前記保管室における前記カートリッジの位置を識別することを特徴とする請求項１２に記載の階層記憶システム。
【請求項１４】
前記マガジンは表示部を更に有し、
前記制御装置は、前記第２の無線通信部を介して前記第１の無線通信部に、前記マガジンの前記表示部に表示をさせる表示コマンドを送信することを特徴とする請求項１２に記載の階層記憶システム。
【請求項１５】
前記マガジンはバッテリを有し、
前記第１の無線通信部は前記マガジンのバッテリの残量不足情報を前記第２の無線通信部に送信し、
前記制御装置は、前記保管室の見取図を格納する記憶部を更に有し、
前記制御装置は、前記マガジンの配置情報を前記見取図と重ねることによって前記保管室における前記残量不足情報を有する前記バッテリを有するマガジンの位置を識別することを特徴とする請求項１２に記載の階層記憶システム。
【請求項１６】
前記マガジンは表示部を更に有し、
前記制御装置は、前記第２の無線通信部を介して前記第１の無線通信部に、前記マガジンの前記表示部に表示をさせる表示コマンドを送信することを特徴とする請求項１５に記載の階層記憶システム。
【手続補正２】
【補正対象書類名】明細書
【補正対象項目名】０００７
【補正方法】変更
【補正の内容】
【０００７】
本発明の一側面としての階層記憶システムは、データを一次記憶するディスク装置と、前記ディスク装置に接続されて前記データを二次記憶するライブラリ装置と、前記ディスク装置と前記ライブラリ装置間のデータ移行を制御する制御装置とを有する階層記憶システムであって、前記ライブラリ装置は、第１のタグを有して前記データが記憶される記憶媒体を格納するカートリッジを収納可能であって第２のタグを有するマガジンが投入及び排出される投入排出部と、前記第１のタグが保持して前記カートリッジを識別する第１情報と前記第２のタグが保持して前記マガジンを識別する第２情報とを無線通信により取得する情報取得部と、取得された前記第１情報と前記第２情報とを前記制御装置に送信する第１の送信部とを有し、前記制御装置は、前記ライブラリ装置から送信された前記第１情報と前記第２情報とを記憶する第１の記憶部と、前記ディスク装置と前記ライブラリ装置間のデータ移行状態と前記第１の記憶部に記憶される前記第１情報と前記第２情報とに基づいて、前記データの所在を管理する管理部と、を有することを特徴とする。かかる階層記憶システムはライブラリ装置が無線通信によって第１情報と第２情報を取得するため、マガジンやカートリッジがライブラリ装置の外部に搬出されてもそれらの位置を追跡することができる。
【手続補正３】
【補正対象書類名】明細書
【補正対象項目名】００１０
【補正方法】変更
【補正の内容】
【００１０】
前記マガジンは、前記第１情報と前記第２情報とを記憶する第２の記憶部を更に有し、前記第２の送信部は、前記第２の記憶部に記憶された前記第１情報と前記第２情報とを前記ライブラリ装置に送信してもよい。この場合、第２のタグは第１情報を格納する必要がなくなる。また、第２のタグは長距離の無線通信をする必要もなくなる。
【手続補正４】
【補正対象書類名】明細書
【補正対象項目名】００１１
【補正方法】変更
【補正の内容】
【００１１】
本発明の別の側面としての階層記憶システムの制御方法は、データを一次記憶するディスク装置と、前記ディスク装置に接続されて前記データを二次記憶するライブラリ装置と、前記ディスク装置と前記ライブラリ装置間のデータ移行を制御する制御装置とからなる階層記憶システムの制御方法であって、前記データが記憶される記憶媒体を格納するカートリッジに備えられた第１のタグが保持して前記カートリッジを識別する第１情報と、前記カートリッジを収納可能なマガジンに備えられて第２のタグが保持して前記マガジンを識別する第２情報とを前記ライブラリ装置の情報取得部は前記マガジンから無線通信により取得する取得ステップと、前記取得ステップにおいて取得した前記第１情報と前記第２情報とを前記ライブラリ装置が前記制御装置に送信する送信ステップと、前記制御装置が前記ライブラリ装置から送信された前記第１情報と前記第２情報とを記憶部に記憶する記憶ステップと、前記制御装置が前記ディスク装置と前記ライブラリ装置間のデータ移行状態と前記記憶部に記憶される前記第１情報と前記第２情報とに基づいて前記データの所在を管理する管理ステップと、を有することを特徴とする。かかる階層記憶システムの制御方法はライブラリ装置の情報取得部が無線通信によって第１情報と第２情報を取得するため、マガジンやカートリッジがライブラリ装置の外部に搬出されてもそれらの位置を追跡することができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明の別の側面としてのライブラリ装置は、データを記憶する記憶媒体を管理するライブラリ装置であって、第１のタグを有して前記記憶媒体を格納するカートリッジを収納可能であって第２のタグを有するマガジンが投入及び排出される投入排出部と、前記第１のタグが保持して前記カートリッジを識別する第１情報と前記第２のタグが保持して前記マガジンを識別する第２情報とを無線通信により取得する情報取得部と、前記記憶媒体へのデータ記憶状態と前記第１情報と前記第２情報とに基づいてデータを管理する管理部と、を有することを特徴とする。かかるライブラリ装置は、情報取得部が無線通信によって第１情報と第２情報を取得するため、マガジンやカートリッジがライブラリ装置の外部に搬出されても追跡することができる。
【手続補正７】
【補正対象書類名】明細書
【補正対象項目名】００１４
【補正方法】変更
【補正の内容】
【００１４】
本発明の別の側面としてのマガジンは、データが記憶される記憶媒体を格納するカートリッジを収納可能なマガジンであって、前記カートリッジに備えられた第１のタグが保持して前記カートリッジを識別する第１情報を読み取る読み取り部と、前記マガジンを識別する第２の情報を保持する第２のタグと、前記第１情報を送信する送信部と、を有することを特徴とする。かかるマガジンは送信部を有するので無線通信によりその所在が追跡可能である。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
本発明の別の側面としての階層記憶システムは、データを一次記憶するディスク装置と、第１情報を保持する第１のタグを有して前記データが記憶されるカートリッジを収納可能であって第２情報を保持する第２のタグを有するマガジンが投入及び排出可能であり、前記ディスク装置に接続されて前記データを二次記憶するライブラリ装置と、前記ディスク装置と前記ライブラリ装置間のデータ移行を制御する制御装置と、を有する階層記憶システムであって、前記第１情報は前記カートリッジに識別子を表し、第２情報は前記マガジンを識別し、前記マガジンは第１の無線通信部を有し、前記階層記憶システムは、前記第１の無線通信部と通信可能な第２の無線通信部を更に有し、前記制御装置は、前記第２の無線通信部が前記第１の無線通信部から受信した前記第１情報及び第２情報に基づいて前記カートリッジの位置を検出することを特徴とする。かかる階層記憶システムによれば、制御装置は、要求のあるデータを格納したカートリッジの所在を、無線通信を利用して検出することができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
各々が複数のカートリッジを収納可能な複数のマガジンが設けられ、前記第２の無線通信部は、前記第１の無線通信部から前記マガジンを保管する保管室における前記マガジンの配置情報を取得し、前記配置情報は、各マガジンの位置情報と、各マガジンの識別子と、各マガジンに収納される前記カートリッジの識別子を含んでもよい。これにより、制御装置は、保管室において、特定のデータを格納するカートリッジの所在を突き止めることができる。前記制御装置は、前記保管室の見取図を格納する記憶部を更に有し、前記制御装置は、前記マガジンの配置情報を前記見取図と重ねることによって前記保管室における前記カートリッジの位置を識別してもよい。これにより、制御装置は、保管室において、特定のデータを格納するカートリッジの所在をより簡単かつ確実に突き止めることができる。前記マガジンは表示部を更に有し、前記制御装置は、前記第２の無線通信部を介して前記第１の無線通信部に、前記マガジンの前記表示部に表示をさせる表示コマンドを送信してもよい。これにより、保管室において作業者は目標カートリッジを格納するマガジンの所在をより簡単かつ確実に突き止めることができる。
【手続補正１２】
【補正対象書類名】明細書
【補正対象項目名】００３０
【補正方法】変更
【補正の内容】
【００３０】
図２は、データ管理表１０５の一例である。データ管理表１０５は、端末１３からの情報をディスク装置１１０に格納する際に制御部１０２によって生成される。データ管理表１０５は、各種のフィールドを含む。これらのフィールドは、データＩＤ（識別）１０５ａ、プロパティ（ＰＲＯＰ）１０５ｂ、ディスク装置（ＤＤ）ＩＤ１０５ｃ、テープカートリッジ（ＣＴＲ）ＩＤ１０５ｄ、マガジン（ＭＧ）ＩＤ１０５ｅ、場所１０５ｆ、ステイタス１０５ｇ、閲覧頻度１０５ｈを含むが、これに限定されるものではない。
【手続補正１３】
【補正対象書類名】明細書
【補正対象項目名】００５０
【補正方法】変更
【補正の内容】
【００５０】
筺体１２１は、直方体形状（箱型）を有し、前面にフロントカバー１２２が開閉自在に図示しないヒンジを介して取り付けられている。フロントカバー１２２を開くと、図４に示すように、インナーカバー１２３が開閉自在に図示しないヒンジを介して取り付けられている。フロントカバー１２２には一対の開口部１２２ａが設けられており、インナーカバー１２３には一対の開口部１２３ａと一つの開口部１２３ｂとが設けられている。各開口部１２２ａ及び１２３ａは、対応する位置に設けられて、それぞれ一対のカートリッジアクセスステーション（Ｃａｒｔｒｉｄｇｅ Ａｃｃｅｓｓ Ｓｔａｔｉｏｎ：ＣＡＳ）１３０の各々に接続されている。開口部１２３ｂは、操作パネル１２５を露出する。
【手続補正１４】
【補正対象書類名】明細書
【補正対象項目名】００６２
【補正方法】変更
【補正の内容】
【００６２】
図９は、テープカートリッジ２００の斜視図である。テープカートリッジ２００は、ケース２１０の上面２１２にパッシブタグ（第1のタグ）２２０を備えている。ケース２１０は、データが記憶される図示しないテープ（記憶媒体）を格納する。パッシブタグ２２０は、バッテリを有しない無電源型の無線ＩＣタグ（ＲＦＩＤタグ）の一種である。なお、「無線ＩＣタグ」は、物体の識別に利用される微小な無線ＩＣタグであり、自身の識別子を格納し、管理システムと情報を無線により送受信する機能を有する。なお、バッテリを内蔵した無線ＩＣタグは「アクティブタグ」と呼ばれる。
【手続補正１５】
【補正対象書類名】明細書
【補正対象項目名】００９４
【補正方法】変更
【補正の内容】
【００９４】
次に、制御部１０２は、ステップ１２７１で取得したマガジンＩＤを有する目標マガジン２５０の位置と、ステップ１２７１で取得したカートリッジＩＤを有する目標テープカートリッジ２００の目標マガジン２５０における位置を、ステップ１２７２で取得した情報において検索する（ステップ１２７５）。この結果、配置情報において目標マガジン２５０と、目標マガジン２５０のどのスロット２６３に目標テープカートリッジ２００があるかを特定することができる。このとき、制御部１０２は、保管室１５の見取図とステップ１２７３及び１２７４の結果を重ね合わせることが好ましい。保管室１５の見取図は記憶部１０６に格納されている。保管室１５の見取図と組み合わせることにより、例えば、目標マガジン２５０がドアを入ったら右に曲がって二本目の柱に最も近くその右側にあることを把握することができる。
【手続補正１６】
【補正対象書類名】明細書
【補正対象項目名】００９６
【補正方法】変更
【補正の内容】
【００９６】
以下、図１４（ｄ）を参照して、表示コマンド送信（ステップ１２７７）後の図１２の制御系の動作について説明する。ここで、図１４（ｄ）は、ステップ１２７７後の制御系の動作を説明するためのフローチャートである。まず、アクティブタグ２８０は無線通信部１２８から取得した表示コマンドをメモリ２８６に格納する（ステップ１２９０）。次に、制御部２７１はリーダライタ２７７を介して表示コマンドをアクティブタグ２８０から取得する（ステップ１２９１）。次に、制御部２７１は表示コマンドに基づいて表示部２７６をブルー表示する（ステップ１２９２）。これにより、保管室１５に入室した作業者が青色に点灯しているマガジン２５０を目標マガジン２５０として探せばよいので目標マガジン２５０への到達が容易になる。なお、表示コマンドは、別の色（赤色など）、別の点灯方法（点滅など）、その他の方法（アラーム音の生成）を使用してよいことはいうまでもない。
【手続補正１７】
【補正対象書類名】明細書
【補正対象項目名】０１０４
【補正方法】変更
【補正の内容】
【０１０４】
次に、制御部１０２は、マガジン２５０内のテープカートリッジ２００の構成に変更があったかどうかを判断する（ステップ１７６０）。例えば、保管室１５に侵入した者がマガジン２５０からいずれかのテープカートリッジ２００を抜き取るような場合である。制御部１０２は、直前のマガジン２５０内のテープカートリッジ２００の構成を記憶部１０６に格納しておき、それを現在の構成と比較することによってステップ１７６０の判断をすることができる。制御部１０２は、異常があれば異常メッセージを表示部１０８に表示したり、出力部１０９からアラーム音を出力したりしてオペレータに知らせる（ステップ１７７０）。制御部１０２は、マガジン２５０内のテープカートリッジ２００の構成に変更がないと判断すれば（ステップ１７６０）、ステップ１７１０に帰還する。
【手続補正１８】
【補正対象書類名】明細書
【補正対象項目名】０１０７
【補正方法】変更
【補正の内容】
【０１０７】
この場合、図１４（ｃ）のステップ１２７２において制御部１０２はマガジン２５０の配置情報をアクティブタグ２８０から取得し、テープカートリッジ２００の配置情報を無線通信部２７８から取得する。また、ステップ１２７７において表示コマンドは無線通信部２７８が受信する。図１４（ｄ）のステップ１２９０はなくなり、ステップ１２９１は、「制御部２７１は無線通信部２７８を介して無線通信部１２８から取得した表示コマンドをメモリ２７４に格納」と読み替えれば足りる。
【手続補正１９】
【補正対象書類名】明細書
【補正対象項目名】０１０８
【補正方法】変更
【補正の内容】
【０１０８】
本実施例においても目標マガジン２５０及び目標テープカートリッジ２００の位置を突き止めることができるという効果を与えることができる。
【手続補正２０】
【補正対象書類名】明細書
【補正対象項目名】０１１２
【補正方法】変更
【補正の内容】
【０１１２】
この場合、図１４（ｃ）及び図１６の動作は、無線通信部１２８が無線通信部２７８と通信する以外は同様である。また、図１４（ｄ）は、ステップ１２９０がなくなり、ステップ１２９１は、「制御部２７１は無線通信部２７８を介して無線通信部１２８から取得した表示コマンドをメモリ２７４に格納」と読み替えれば足りる。
【手続補正２１】
【補正対象書類名】明細書
【補正対象項目名】０１１５
【補正方法】変更
【補正の内容】
【０１１５】
図１９は、図１２に示す制御系に対応する実施例４の制御系のブロック図である。本実施例のマガジン２５０は、制御ユニット２７０Ｂの代わりに制御ユニット２７０Ｃを使用し、パッシブタグ２８０Ａの代わりにバーコードラベル２８０Ｂを使用している点で実施例３と相違する。制御ユニット２７０Ｃは、制御部２７１、バッテリ２７２、メモリ２７４、表示部２７６、無線通信部２７８を有する点では制御ユニット２７０Ｂと同様であるが、また、タグリーダ２７７Ａの代わりにバーコードリーダ２７７Ｂを有する点で制御ユニット２７０Ｂと相違する。
【手続補正２２】
【補正対象書類名】明細書
【補正対象項目名】０１１７
【補正方法】変更
【補正の内容】
【０１１７】
この場合、図１４（ｃ）及び図１６の動作は、無線通信部１２８が無線通信部２７８と通信する以外は同様である。また、図１４（ｄ）は、ステップ１２９０がなくなり、ステップ１２９１は、「制御部２７１は無線通信部２７８を介して無線通信部１２８から取得した表示コマンドをメモリ２７４に格納」と読み替えれば足りる。
【国際調査報告】
2009078082.tif 000024
2009078082.tif 000025
2009078082.tif 000026
2009078082.tif 000027